(57)【要約】      （修正有）【課題】１８０度の往復揺動可能な片足用スクーターのスタンド構造を提供する。【解決手段】この片足用スクーターのスタンド構造は、底座１０を有し、該底座は側方向に片足用スクーターのボード下方の縦向き架体に固定される。支持棒２０の第１端が該底座中に枢設され、その第２端が選択的に支持面（地面）に支持されて、片足用スクーターを支持する。該底座の両端に弾性片１３が固定され、支持棒の第１端は該弾性片に当接し、該支持棒の揺動幅は１８０度とされ、且つ９０度毎に弾性片の回復力と支持棒の第１端の作用により暫時位置決めを形成する。【選択図】図２
0003161909.tif 000002
【実用新案登録請求の範囲】
【請求項１】
片足用スクーターのスタンド構造において、
底座であって、該底座は側方向に片足用スクーターのボード下方の縦向き架体に固着され、該底座の上面中央に第１穿孔が形成され、且つその該横向き架体との接続側と異なる側に下向きに延伸された舌部が設けられ、該舌部中に第２穿孔が形成され、該第２穿孔は同心関係で該第１穿孔に対応し、両端がそれぞれ該底座上に固着され並びに該第１穿孔を封じる弾性片が設けられた、上記底座と、
支持棒であって、該支持棒の第１端が該底座中に枢設され、その第２端は選択的に支持面に支持されて、片足用スクーターを支持し、該支持棒の一端は方形構造とされ、並びに第３穿孔が形成され、該支持棒の第１端に、順に、相互に垂直で且つ選択的に該弾性片に当接する第１辺、第２辺、及び第３辺が形成され、該第１辺と第２辺の接続部分に第１角が形成され、第２辺と第３辺の接続部分に第２角が形成され、該支持棒は該舌部に対して往復揺動する時、該第１角と第２角が該第１穿孔において交替して該弾性片を押圧する、上記支持棒と、
を包含したことを特徴とする、片足用スクーターのスタンド構造。
【請求項２】
請求項１記載の片足用スクーターのスタンド構造において、該支持棒の第１端に耐磨キャップが嵌合され、該耐磨キャップにより該弾性片の急速な磨耗が防止されることを特徴とする、片足用スクーターのスタンド構造。
【請求項３】
請求項１記載の片足用スクーターのスタンド構造において、該支持棒の第２端に側方向に向けて延伸された支持部が設けられ、該支持部は該支持棒の第２端と支持面との接触面積を拡大して安定して片足用スクーターを支持することを特徴とする、片足用スクーターのスタンド構造。
【請求項４】
請求項１記載の片足用スクーターのスタンド構造において、該第２穿孔と該第３穿孔を順に貫通する位置決め軸が設けられ、該位置決め軸の端部は片足用スクーターの縦向き架体に位置決めされて、これにより該底座が固定されることを特徴とする、片足用スクーターのスタンド構造。
【請求項５】
請求項２記載の片足用スクーターのスタンド構造において、該支持棒の第２端に側方向に向けて延伸された支持部が設けられ、該支持部は該支持棒の第２端と支持面との接触面積を拡大して安定して片足用スクーターを支持することを特徴とする、片足用スクーターのスタンド構造。
【請求項６】
請求項２記載の片足用スクーターのスタンド構造において、該第２穿孔と該第３穿孔を順に貫通する位置決め軸が設けられ、該位置決め軸の端部は片足用スクーターの縦向き架体に位置決めされて、これにより該底座が固定されることを特徴とする、片足用スクーターのスタンド構造。
【請求項７】
請求項３記載の片足用スクーターのスタンド構造において、該第２穿孔と該第３穿孔を順に貫通する位置決め軸が設けられ、該位置決め軸の端部は片足用スクーターの縦向き架体に位置決めされて、これにより該底座が固定されることを特徴とする、片足用スクーターのスタンド構造。
【請求項８】
請求項４又は請求項５、又は請求項６、又は請求項７記載の片足用スクーターのスタンド構造において、該支持棒が滑らかに該位置決め軸に対して揺動するように、該位置決め軸にスリーブが嵌合されたことを特徴とする、片足用スクーターのスタンド構造。
【考案の詳細な説明】
【技術分野】
【０００１】
本考案は一種のスタンド構造に係り、特に、往復式に１８０度揺動可能である片足用スクーターのスタンド構造に関する。
【背景技術】
【０００２】
片足用スクーターは数年来流行している玩具であり、片足用スクーターは二つの車輪しかないため、停車時にはスタンドで支持しなければならない。周知の片足用スクーターのスタンドは、通常バネが取り付けられて、その回復力により暫時位置決めを行う。しかし、乗車の過程で、バネの端部が使用者の靴紐やズボンにひっかかることがあり、不便であるのみならず、危険を発生しやすい。このほか、周知の片足用スクーターのスタンドは、通常、保険構造が取り付けられて、スタンド使用時に突然後ろに跳ね上がるのを防止している。しかし、使用者が片足用スクーターを使用する前に先にスタンドを後に撥ね上げるのを忘れると、保険構造の影響により、下向きに延伸された支持棒が地面と接触する時に、走行中の片足用スクーターのバランスが崩れて倒れることになる。
【考案の概要】
【考案が解決しようとする課題】
【０００３】
本考案の主要な目的は、１８０度の往復揺動可能な片足用スクーターのスタンド構造を提供して上述の問題を解決することにある。
【課題を解決するための手段】
【０００４】
上述の目的を達成するため、本考案は、底座を包含し、該底座は側方向に片足用スクーターのボード下方の縦向き架体に固着される。該底座の上面中央に第１穿孔が形成され、且つその架体と異なる別側に下向きに延伸された舌部が設けられ、該舌部中に第２穿孔が形成され、該第２穿孔は同心関係で該第１穿孔に対応する。両端がそれぞれ該底座上に固着され並びに該第１穿孔を封じる弾性片が設けられる。及び、支持棒の第１端が該底座中に枢設され、その第２端は選択的に支持面に支持されて、片足用スクーターを支持する。該支持棒の一端は方形構造とされ、並びに第３穿孔が形成されており、該支持棒の第１端に、順に、相互に垂直で且つ選択的に弾性片に当接する第１辺、第２辺、及び第３辺が形成され、該第１辺と第２辺の接続部分に第１角が形成され、第２辺と第３辺の接続部分に第２角が形成されている。支持棒は舌部に対して往復揺動する時、該第１角と第２角が第１穿孔において交替して弾性片を押圧する。
【考案の効果】
【０００５】
本考案は一種のスタンド構造に係り、特に、往復式に１８０度揺動可能である片足用スクーターのスタンド構造を提供している。
【図面の簡単な説明】
【０００６】
【図１】本考案を片足用スクーターに取り付けた立体図である。
【図２】本考案の立体分解図である。
【図３】本考案の図１の３−３線断面図である。
【図４】本考案の立体外観図である。
【図５Ａ】本考案の動作表示図である。
【図５Ｂ】本考案の動作表示図である。
【図５Ｃ】本考案の動作表示図である。
【図６】本考案の別の使用状態の立体図である。
【考案を実施するための形態】
【０００７】
本考案の片足用スクーターのスタンド構造は、図１から図４に示されるように、底座（１０）を包含し、該底座（１０）は側方向に片足用スクーターのボード（２００）下方の縦向き架体（１００）に固着される。支持棒（２０）の第１端が該底座（１０）中に枢設され、その第２端は選択的に支持面（地面）上に当接し、これにより片足用スクーターを支持する。
【０００８】
該底座（１０）の上面中央に第１穿孔（１１）が形成され、且つその縦向き架体（１００）と異なる別側に下向きに延伸された舌部（１２）が設けられ、該舌部（１２）中に第２穿孔（１２１）が形成され、該第２穿孔（１２１）は同心関係で該第１穿孔（１１）に対応する。両端がそれぞれ該底座（１０）上に固着され並びに該第１穿孔（１１）を封じる弾性片（１３）が設けられる。
【０００９】
該支持棒（２０）の第１端は方形構造体とされ、並びに側方に第３穿孔（２１）が形成され、該支持棒（２０）の第１端は順に垂直に対応する第１辺、第２辺、及び第３辺が形成され、該第１辺と第２辺の接続部分に第１角が形成され、第２辺と第３辺の接続部分に第２角が形成されている。該支持棒（２０）は舌部（１２）に対して往復揺動する時、該第１角と第２角が第１穿孔（１１）において交替して弾性片（１３）を押圧する。該支持棒（２０）の第１端には耐磨キャップ（２２）が嵌合され、該耐磨キャップ（２２）は弾性片（１３）の急速磨耗を防止する。該支持棒（２０）の第２端は側方向に延伸されて支持部（２３）が設けられ、該支持部（２３）は支持棒（２０）の第２端と支持面の接触面積を拡大可能であり、これにより安定して片足用スクーターを支持できる。順に第２穿孔（１２１）と第３穿孔（２１）に挿通された位置決め軸（２４）が設けられ、該位置決め軸（２４）の端部は片足用スクーターの縦向き架体（１００）に位置決めされ、これにより底座（１０）が固定される。スリーブ（２４１）が位置決め軸（２４）に嵌合されて、これにより支持棒（２０）が滑らかに位置決め軸（２４）に対して揺動するものとされる。
【００１０】
さらに図４から図６を参照されたい。該支持棒（２０）の揺動幅は１８０度とされ、且つ９０度毎に弾性片（１３）の回復力と支持棒（２０）の第１端の形状の作用により暫時位置決めされる。図４と図５Ａに示されるように、支持棒（２０）が片足用スクーターを支持する時、該支持棒（２０）は垂直に片足用スクーターのボード（２００）に対応し、支持棒（２０）の第１端の第２辺は弾性片（１３）に当接する。図５Ｃに示されるように、使用者が片足用スクーターに乗る前に、該支持棒（２０）は片足用スクーターの前端に向けて揺動し、支持棒（２０）は平行にボード（２００）に対応する。このとき、該支持棒（２０）の第２端は延伸されてボード（２００）の前端より突出し、使用者は片足用スクーターを使用した後に、軽々と支持棒（２０）を回してもとの支持位置とすることができる。図５Ｂに示されるように、支持棒（２０）の第１端の第１角は上向きに弾性片（１３）を押し上げ、且つ弾性片（１３）の回復力により、支持棒（２０）の第１端の第１辺は弾性片（１３）に当接し、乗車の過程中に、支持棒（２０）が位置決めされる。反対に、使用者が乗車前に前向きに支持棒（２０）を回すことを忘れると、該支持棒（２０）と支持面との摩擦力により、支持棒（２０）は後方に回され、下向きに延伸された支持棒（２０）によって走行中の片足用スクーターのバランスが崩されることがなく、乗車の安全がアップされる。
【符号の説明】
【００１１】
１０  底座
２００  ボード
１００  縦向き架体
２０  支持棒
１１  第１穿孔
１２  舌部
１３  弾性片
１２１  第２穿孔
２２  耐磨キャップ
２３  支持部
２１  第３穿孔
２４  位置決め軸
【図１】
0003161909.tif 000003
【図２】
0003161909.tif 000004
【図３】
0003161909.tif 000005
【図４】
0003161909.tif 000006
【図５Ａ】
0003161909.tif 000007
【図５Ｂ】
0003161909.tif 000008
【図５Ｃ】
0003161909.tif 000009
【図６】
0003161909.tif 000010